【手続補正書】
【提出日】平成24年3月29日(2012.3.29)
【手続補正１】
【補正対象書類名】特許請求の範囲
【補正対象項目名】全文
【補正方法】変更
【補正の内容】
【特許請求の範囲】
【請求項１】
クランクシャフトに対して同期回転する駆動側回転体と、
駆動側回転体に対して同軸上に配置され、内燃機関の弁開閉用のカムシャフトに同期回転する従動側回転体と、
前記駆動側回転体と前記従動側回転体とで形成された流体圧室を遅角室と進角室とに仕切るよう前記駆動側回転体及び前記従動側回転体の少なくとも一方に設けられた仕切部と、
前記仕切部のうち前記駆動側回転体もしくは前記従動側回転体に対向する位置、または、前記駆動側回転体もしくは前記従動側回転体のうち前記仕切部に対向する位置に配設されて、前記駆動側回転体と前記従動側回転体との相対回転に基づく前記遅角室と前記進角室との間での作動流体の漏洩を防止するシール部材と、
弾性変形に基づく付勢力によって、自身を前記シール部材に係止すると共に、前記シール部材を前記仕切部の側から前記駆動側回転体もしくは前記従動側回転体の側へ、または、前記シール部材を前記駆動側回転体もしくは前記従動側回転体の側から前記仕切部の側へ付勢する付勢部材と、を備え、
前記付勢部材は、前記シール部材を前記仕切部の側から前記駆動側回転体もしくは前記従動側回転体の側へ、または、前記シール部材を前記駆動側回転体もしくは前記従動側回転体の側から前記仕切部の側へ付勢する第一付勢部と、自身の弾性変形に基づく付勢力によって自身を前記シール部材に係止する第二付勢部とを有する弁開閉時期制御装置。
【請求項２】
前記シール部材に凸部を形成し、
前記付勢部材を、弾性変形に基づく付勢力によって前記凸部を挟持して前記シール部材に係止するよう構成してある請求項１に記載の弁開閉時期制御装置。
【請求項３】
前記シール部材に凹部を形成し、
前記付勢部材を、弾性変形に基づく付勢力によって前記凹部のうち対向する二側面を押圧して前記シール部材に係止するよう構成してある請求項１に記載の弁開閉時期制御装置。
【請求項４】
前記シール部材の二箇所に凸部を形成し、
前記付勢部材を、前記付勢部材のうち二箇所の部位が夫々各別に二箇所の前記凸部に係止する状態で弾性変形に基づく付勢力によって二箇所の前記凸部を挟持して前記シール部材に係止するよう構成してある請求項１に記載の弁開閉時期制御装置。
【請求項５】
前記付勢部材を線バネで構成してある請求項１乃至４の何れか一項に記載の弁開閉時期制御装置。
【請求項６】
前記付勢部材を板バネで構成してある請求項１乃至４の何れか一項に記載の弁開閉時期制御装置。
【請求項７】
前記付勢部材が前記シール部材と前記仕切部とに挟まれて塑性変形しないよう、前記付勢部材の弾性変形範囲を規制する規制部を前記シール部材と前記仕切部とに亘って備えた請求項１乃至６の何れか一項に記載の弁開閉時期制御装置。
【請求項８】
前記付勢部材が前記シール部材と前記仕切部が対向する前記駆動側回転体または前記従動側回転体とに挟まれて塑性変形しないよう、前記付勢部材の弾性変形範囲を規制する規制部を前記シール部材と前記仕切部が対向する前記駆動側回転体または前記従動側回転体とに亘って備えた請求項１乃至６の何れか一項に記載の弁開閉時期制御装置。
【手続補正２】
【補正対象書類名】明細書
【補正対象項目名】００１０
【補正方法】変更
【補正の内容】
【００１０】
本発明に係る弁開閉時期制御装置の第一特徴構成は、クランクシャフトに対して同期回転する駆動側回転体と、駆動側回転体に対して同軸上に配置され、内燃機関の弁開閉用のカムシャフトに同期回転する従動側回転体と、前記駆動側回転体と前記従動側回転体とで形成された流体圧室を遅角室と進角室とに仕切るよう前記駆動側回転体及び前記従動側回転体の少なくとも一方に設けられた仕切部と、前記仕切部のうち前記駆動側回転体もしくは前記従動側回転体に対向する位置、または、前記駆動側回転体もしくは前記従動側回転体のうち前記仕切部に対向する位置に配設されて、前記駆動側回転体と前記従動側回転体との相対回転に基づく前記遅角室と前記進角室との間での作動流体の漏洩を防止するシール部材と、弾性変形に基づく付勢力によって、自身を前記シール部材に係止すると共に、前記シール部材を前記仕切部の側から前記駆動側回転体もしくは前記従動側回転体の側へ、または、前記シール部材を前記駆動側回転体もしくは前記従動側回転体の側から前記仕切部の側へ付勢する付勢部材と、を備え、前記付勢部は、前記シール部材を前記仕切部の側から前記駆動側回転体もしくは前記従動側回転体の側へ、または、前記シール部材を前記駆動側回転体もしくは前記従動側回転体の側から前記仕切部の側へ付勢する第一付勢部と、自身の弾性変形に基づく付勢力によって自身を前記シール部材に係止する第二付勢部とを有する点にある。
【手続補正３】
【補正対象書類名】明細書
【補正対象項目名】００２４
【補正方法】変更
【補正の内容】
【００２４】
本発明に係る弁開閉時期制御装置の第八特徴構成は、前記付勢部材が前記シール部材と前記仕切部が対向する前記駆動側回転体または前記従動側回転体とに挟まれて塑性変形しないよう、前記付勢部材の弾性変形範囲を規制する規制部を前記シール部材と前記仕切部が対向する前記駆動側回転体または前記従動側回転体とに亘って備えた点にある。
【手続補正４】
【補正対象書類名】明細書
【補正対象項目名】００３１
【補正方法】変更
【補正の内容】
【００３１】
図２に示すごとく、外部ロータ１２に、径内方向に突出する複数個の突出部１４を回転方向Ｓに沿って互いに離間させて形成することにより、外部ロータ１２と内部ロータ２とによって流体圧室４を形成してある。突出部１４は、内部ロータ２の外周面２ａに対するシューとしても機能する。外周面２ａのうち流体圧室４に面する部分に、突出部２１を形成してある。流体圧室４は、突出部２１によって、回転方向Ｓに沿って進角室４１と遅角室４２とに仕切られている。即ち、突出部２１が、本発明の「仕切部」に相当する。流体圧室４を進角室４１と遅角室４２とに仕切るという点で、突出部１４も本発明の「仕切部」に相当する。なお、本実施形態においては、流体圧室４が四箇所となるよう構成してあるが、これに限られるものではない。
【手続補正５】
【補正対象書類名】明細書
【補正対象項目名】００３８
【補正方法】変更
【補正の内容】
【００３８】
流体切換弁５４は、スプール式に構成され、ＥＣＵ７（エンジンコントロールユニット）による給電量の制御に基づいて動作する。流体切換弁５４の切換えによって、ロック溝６２へのエンジンオイルの供給、ロック溝６２からのエンジンオイルの排出、といった制御が可能である。
【手続補正６】
【補正対象書類名】明細書
【補正対象項目名】００４４
【補正方法】変更
【補正の内容】
【００４４】
夫々の凸部ＳＥｄは、夫々の脚部ＳＥｅと所定の間隔を隔てつつ、両側の脚部ＳＥｅ同士の間に位置している。凸部ＳＥｄの幅は摺接部ＳＥａの幅よりも小さい。凸部ＳＥｄの高さは脚部ＳＥｅの高さよりも低い。
【手続補正７】
【補正対象書類名】明細書
【補正対象項目名】００５６
【補正方法】変更
【補正の内容】
【００５６】
例えば、図６に示すごとく、第二付勢部ＳＰ１ｂの幅方向に広がろうとする付勢力を利用して、線バネＳＰ１をシール部材ＳＥに係止させても良い。第二付勢部ＳＰ１ｂのうちＵ字形状の両端部の間隔は、周壁部ＳＥｃの内幅よりもやや大きく設定してある。よって、第二付勢部ＳＰ１ｂを、互いに対向する周壁部ＳＥｃの間の所定の位置まで押し込めば、第二付勢部ＳＰ１ｂはその弾性変形に基づく幅方向外側への付勢力によって両側の周壁部ＳＥｃを突っ張る。あるいは、線バネＳＰ１のうち二箇所の第二付勢部ＳＰ１ｂの幅を周壁部ＳＥｃの内幅よりも押し縮めた状態で、互いに対向する周壁部ＳＥｃ同士の内側に線バネＳＰ１をあてがった後、線バネＳＰ１を押し縮める力を解放すれば、第二付勢部ＳＰ１ｂはその弾性変形に基づく幅方向外側への付勢力によって両側の周壁部ＳＥｃを突っ張る。この結果、線バネＳＰ１はシール部材ＳＥに係止する。なお、周壁部ＳＥｃのうち第二付勢部ＳＰ１ｂが係止する部分と摺接部ＳＥａとで構成される凹部ＳＥｆが、本発明の「凹部」に相当する。
【手続補正８】
【補正対象書類名】明細書
【補正対象項目名】００６２
【補正方法】変更
【補正の内容】
【００６２】
〔第七別実施形態〕
同様に、図１２に示すごとく、板材を湾曲させて第一付勢部ＳＰ２ａを形成した板バネＳＰ２において、その両端部分を図中長さ方向内側下方に折り返して二箇所の第二付勢部ＳＰ２ｂを形成し、さらに、第二付勢部ＳＰ２ｂの先端部に長孔形状の切欠きを設けても良い。本実施形態では、シール部材ＳＥに二箇所のピン形状の凸部ＳＥｄを形成し、夫々の第二付勢部ＳＰ２ｂが夫々各別に凸部ＳＥｄに係止する状態で、第一付勢部ＳＰ２ａの長さ方向の弾性変形に基づく付勢力によって二箇所の凸部ＳＥｄを一気に挟持するよう構成してある。第一付勢部ＳＰ２ａに高さ方向の押圧力が作用すると、板バネＳＰ２は長さ方向に広がるように弾性変形するが、切欠きがルーズホールの役割をなすため、第二付勢部ＳＰ２ｂが凸部ＳＥｄから逸脱することはない。
【手続補正９】
【補正対象書類名】明細書
【補正対象項目名】００６３
【補正方法】変更
【補正の内容】
【００６３】
〔第八別実施形態〕
図１３に示すごとく、板材を湾曲させて第一付勢部ＳＰ２ａを形成した板バネＳＰ２において、第一付勢部ＳＰ２ａよりも幅広の両端部分を図中幅方向内側上方に夫々折り返して二箇所の第二付勢部ＳＰ２ｂを形成しても良い。本実施形態においては、夫々の第二付勢部ＳＰ２ｂが、互いに幅方向に対向する周壁部ＳＥｃを幅方向外側に押圧するよう構成してある。この場合、周壁部ＳＥｃのうち幅方向において互いに対向する部分と摺接部ＳＥａとで構成される凹部ＳＥｆが、本発明の「凹部」に相当する。
【手続補正１０】
【補正対象書類名】明細書
【補正対象項目名】００６７
【補正方法】変更
【補正の内容】
【００６７】
なお、本発明は、弁開閉時期制御装置のうち、シール部材及び付勢部材の構成に特徴を有するものであるため、その他の構成は上述の構成に限定されるものではない。例えば、本発明に係るシール部材及び付勢部材を排気弁側の弁開閉時期制御装置に適用しても良い。また、ロック機構を備えていなくても、あるいはロック機構の構成が異なっていても良い。